(57)【要約】【課題】メダルを使用しないで、不正操作具による最大予納可能数以上の予納を記憶させる不正行為の防止を図る。【解決手段】ＲＡＭ９４に記憶された計数値がＲＯＭ９３に設定された最大予納可能数９８を越えた場合、制御コンピュータ９５が異常処理を実行し、制御コンピュータ９５が、遊技開始信号の入力の受付を拒否するか、遊技開始信号の入力の受付を許容するものの遊技開始信号の入力に伴うスロット遊技処理の開始を行わないというように、スロットマシンの遊技を停止する。【選択図】図１
2006181235.tif 000002
【特許請求の範囲】
【請求項１】
メダル投入部から投入されたメダルを選別するメダル選別機と、メダル選別機を通過したメダルを検出するメダル検出機構と、メダル検出機構からのメダル検出信号を計数しその計数値をメダルの予納枚数として記憶するとともに計数値が設定された最大予納可能数以上の場合にメダルを受皿に返却させるようにメダル選別機を制御する制御装置とを備えたスロットマシンの投入メダル検出装置において、制御装置には計数値が設定された最大予納可能数以上の場合にスロットマシンの遊技を停止するとともに異常を表示する異常処理手段が設けられたことを特徴とするスロットマシンの投入メダル検出装置。
【発明の詳細な説明】
【技術分野】
【０００１】
本発明は、メダルを使用しないで、不正操作具による最大予納可能数以上の予納を記憶させる不正行為が防止できるスロットマシンの投入メダル検出装置に関する。
【背景技術】
【０００２】
図３乃至図９は、従来公知のスロットマシンである。図３は、前扉３を閉じたスロットマシンの外観を示す。図４は、前扉３を矢印Ｘ１の方向に開いたスロットマシンの外観を示す。図５は、メダル選別機３３の外観を示す。図６は、ガイド通路７１の断面を示す。図７は、固定ベース３７とメダル検出機構３４とを分解して示す。図８は、メダル検出機構３４を固定ベース３７に取り付けた前側からの外観を示す。図９は、メダル投入部１５から不正操作具８６を操作する不正行為を示す。この明細書において、「前」、「後」、「裏」、「左」、「右」、「上」、「下」の方向は、図３の状態に機構筐体１を置いて矢印Ａで示す前側から見た場合に特定される方向である。「後」と「裏」とは同じ方向である。
【０００３】
図３を参照し、スロットマシンの前側の構造について説明する。スロットマシンの機構筐体１は、前側にだけ開口した四角な箱形の形状である。機構筐体１の左右側壁には、取手部２が機構筐体１を運搬する場合に手を掛けるための孔として設けられる。機構筐体１の外面には、前扉３が設けられる。前扉３には、状況表示部４、図柄表示部５、情報表示部６、操作台７、機種表示部８、受皿９が、上から下に順に設けられる。状況表示部４は、遊技の状況に関する情報を、遊技者に知らせるために表示するものである。図柄表示部５は、図柄表示部５の内側に配置された図柄表示装置１０の図柄を遊技者に見せる光透過性合成樹脂により形成される。図柄表示装置１０は、機構筐体１の内部または前扉３の内面に取り付けられる。情報表示部６は、遊技者により設定された情報を、遊技者に知らせるために表示するものである。操作台７は、遊技者により操作される部品を集中的に設けるものである。機種表示部８は、スロットマシンの種類や製造者名および販売の許可されたことを示す証紙を、遊技者に知らせるために表示するものである。受皿９は、遊技媒体としてのメダルを受ける部分である。受皿９の左側には灰皿１１が併設される。情報表示部６は、掛数、メダルの予納枚数、当たりの結果の賞として払い出されたメダル数などの状況を数値として電気的に表示する。
【０００４】
操作台７の外面の１つである上面には、掛数操作部１２、精算操作部１３、最大掛数操作部１４、メダル投入部１５が、左から右に順に設けられる。掛数操作部１２は、１回の遊技に対する掛数を設定するために、遊技者が操作するものである。精算操作部１３は、メダル投入部１５から遊技用や予納用として機構筐体１の内部に投入されたメダルを受皿９に電気的に返却させるために、遊技者が操作するものである。メダル投入部１５は、遊技用や予納用としてのメダルを遊技者が機構筐体１の内部に投入するためのものである。最大掛数操作部１４は、１回の遊技に対する掛数を最大に設定するために、遊技者が操作するものである。操作台７の外面の１つである前面には、遊技開始操作部１６、３個の図柄停止操作部１７、返却操作部１８、開閉錠１９が、左から右に順に設けられる。遊技開始操作部１６は、スロットマシンの１回の遊技開始として、図柄表示装置１０の図柄の変動を開始させるために、遊技者が操作するものである。図柄停止操作部１７は、スロットマシンの１回の遊技停止として、図柄表示装置１０の変動している図柄を個別に停止させるために、遊技者が操作するものである。返却操作部１８は、メダル投入部１５から構構筐体１の内部に投入されて図４のメダル選別機３３にひっかかったメダルを受皿９に機械的に返却させるために、遊技者が操作するものである。開閉錠１９は、前扉３を開閉するために、遊技店の店員が操作するものである。
【０００５】
図４を参照し、スロットマシンの内部の構造について説明する。前扉３の左側部が機構筐体１の左側部にヒンジ２０で連結され、前扉３がヒンジ２０を中心として前側横方向に片開きされる。前扉３の右側部には、係合部２１が設けられる。店員が前扉３を矢印Ｘ２の方向に押して閉じた場合、係合部２１が機構筐体１の図外の掛止部に係合して前扉３を開閉不能に支持する。その状態において、店員が図３の開閉錠１９に図外の鍵を挿入して開閉錠１９を操作すると、係合部２１が掛止部から解除される。そして、店員が前扉３を矢印Ｘ１で示す前側に引くと、前扉３が開放される。
【０００６】
機構筐体１の前側に開口した内部空間には、上段２２に制御装置２３が設けられ、中段２４には図柄表示装置１０が設けられ、下段２５に電源装置２６、ホッパー２７、予備箱２８が左から右に順に設けられる。ホッパー２７は、当たりの結果の賞として払い出すメダルを貯蔵するものであって、メダルを払い出すための図外の払出機を内蔵する。払出機により払い出されたメダルは、ホッパー２７に形成された払出口２９から前扉３の裏面に設けられた受口３０を経由して受皿９に払い出される。予備箱２８は、ホッパー２７に補給するメダルを予備的に入れて置くものである。電源装置２６の前側に向けられた前面には、店員による操作を行いやすいように、電源操作部３１やリセット操作部３２が設けられる。開放された前扉３の裏面には、メダル選別機３３、メダル検出機構３４、返却樋３５、メダル格納樋３６が設けられる。メダル選別機３３は、図３のメダル投入部１５から投入されたメダルをメダルの直径で正常か異常かを選別し、直径の正常なメダルだけをメダル検出機構３４に送り、正常のものより直径の大きなメダルをメダル検出機構３４に送らないようにひっかけて留置し、正常のものより直径の小さなメダルをメダル検出機構３４に送らないように下方の返却樋３５に落下させるものである。メダル検出機構３４は、メダル選別機３３から送られてきたメダルを電気的に検出したメダル検出信号を制御装置２３に出力する。制御装置２３は、メダル検出機構３４から入力されたメダル検出信号を投入メダル個数として電気的に計数（カウントアップ）し、カウントアップした値（カウントアップ値；計数値）を投入メダル個数としてメモリに記憶する。返却樋３５は、メダル選別機３３から異常なメダルとして落下したメダルを受け取って受皿９に排出する。返却樋３５の裏面には受口３０が設けられる。メダル格納樋３６は、メダル検出機構３４を通過したメダルをホッパー２７に落下させるものである。
【０００７】
図５を参照し、メダル選別機３３の構造について説明する。メダル選別機３３は、固定ベース３７、操作ガイド３８、可動ガイド３９、ガイド駆動機構４０、固定ガイド４２、返却ガイド４３を備える。固定ベース３７は、合成樹脂からなる方形な板状である。固定ベース３７の左右方向の両側には、左側壁４４および右側壁４５が、固定ベース３７の前後方向に突出する。左側壁４４および右側壁４５には、突起４６が、固定ベース３７を図３の前扉３の裏面に取り付けるための部材として、上下に分かれた位置で、外側に突出する。メダル選別機３３が前扉３に取り付けられる場合、突起４６が前扉３の裏面に設けられた図外の溝に前扉３の裏側から挿入されると、前扉３の裏面に設けられた図外のロック機構が突起４６を裏側に抜けないように前扉３に支持することによって、メダル選別機３３が前扉３に取り付けられる。
【０００８】
固定ベース３７の裏面には、ガイド溝４７が上方から左側に弧状に曲がるとともに上方と裏側および左側に開口した形状に設けられる。ガイド溝４７は、メダル４８の板面４８ａを前後方向に向けた格好で、メダル４８を上方から左側に誘導する。固定ベース３７には、回転支持部４９；５０、ばね逃孔５１、ガイド逃孔５２、センサ逃孔５３が、ガイド溝４７を避けた左上部に設けられる。回転支持部４９は、操作ガイド３８を固定ベース３７に回転可能に支持するために、固定ベース３７の裏面から裏側に突出し、左右に離れて相対峙した一対である。回転支持部５０は、可動ガイド３９を固定ベース３７に回転可能に支持するために、固定ベース３７の前面から前側に突出し、左右に離れて相対峙した一対である。ばね逃孔５１は、可動ガイド３９の下縁部をガイド溝４７から裏側に離れる方向に付勢する可動ガイドばね６８の一部を固定ベース３７の前後に通すために、一対の回転支持部４９の間に位置し、固定ベース３７の前後方向への貫通孔である。ガイド逃孔５２は、可動ガイド３９の上部を固定ベース３７の前後に通すために、一対の回転支持部５０の間に位置し、固定ベース３７の前後方向への貫通孔である。センサ逃孔５５は、メダル検出機構３４の一部を固定ベース３７の前後に通すために、固定ベース３７の前後方向への貫通孔である。固定ベース３７には、ブロック逃孔５４およびセンサ逃孔５５が、ガイド溝４７に位置して設けられる。ブロック逃孔５４は、可動ガイド３９のブロック部６７の後端部をガイド溝４７の前後に通すために、ガイド溝４７の左下部に位置し、固定ベース３７の前後方向への貫通孔である。センサ逃孔５５は、メダル検出機構３４の一部をガイド溝４７の前後に通すために、固定ベース３７の前後方向への貫通孔である。
【０００９】
操作ガイド３８は、固定ベース３７の裏側から固定ベース３７の左右側壁間に挿入される大きさの合成樹脂からなる板状である。操作ガイド３８には、膨出部５６、中央開口部５７、回転支持部５８、ガイド取付部５９が設けられる。膨出部５６は、操作ガイド３８から前側に突出し、操作ガイド３８が固定ベース３７の裏側に取り付けられた場合、ガイド溝４７における上下方向に延びる上部と対向してメダル４８を上方から下方に誘導するガイド通路を構成する。ガイド溝４７の上縁部および膨出部５６は、ガイド通路にメダル４８を取り込むメダル入口６０を構成する。中央開口部５７は、操作ガイド３８の前後方向への貫通孔であって、操作ガイド３８が固定ベース３７の裏側に取り付けられた場合、可動ガイド３９を逃げ、ガイド溝４７における左右方向に延びる下部と対向し、中央開口部５７の下縁部がガイド溝４７の下縁部よりも上方に突出してメダル４８を右上方から左下方に誘導するガイド通路を構成する。回転支持部５８は、操作ガイド３８を固定ベース３７に回転可能に支持するために、操作ガイド３８の左上部から裏側に突出し、左右に離れて相対峙した一対である。回転支持部５８が回転支持部４９の外側に配置され、操作ガイド軸６１が回転支持部４９；５８に回転可能に装着され、操作ガイド軸６１に巻き付けられた操作ガイドばね６２の下部が操作ガイド３８の裏面に裏側から接触し、操作ガイドばね６２の上部がばね逃孔５１を経由して固定ベース３７の裏面に係留されることによって、操作ガイドばね６２が操作ガイド３８に裏側から前側に押すばね力を与え、操作ガイド３８が操作ガイドばね６２により操作ガイド軸６１を中心として固定ベース３７の方向に付勢されて回転する態様で固定ベース３７の裏側に取り付けられる。ガイド取付部５９は、中央開口部５７における左側の開口を塞がないように、操作ガイド３８に左側部から後側に突出する。中央開口部５７における左側の開口は、ガイド通路からメダルを排出するメダル出口６３を構成する。
【００１０】
可動ガイド３９は、金属によりなる方形な板状である。可動ガイド３９の上部には、回転支持部６４および受止部６５が前側に折り曲げ形成される。回転支持部６４が回転支持部５０の内側に配置され、受止部６５が操作ガイド３８の裏側からガイド逃孔５２を経由して固定ベース３７の前側に突出され、可動ガイド軸６６が回転支持部５０；６４に回転可能に装着され、可動ガイドばね６８の一端部が受止部６５に係留され、可動ガイドばね６８の他端部が固定ベース３７の裏面に係留されることによって、可動ガイドばね６８が可動ガイド３９の下縁部を固定ベース３７から裏側に離れる方向に付勢するばね力を受止部６５に与え、固定ベース３７の裏側で中央開口部５７に配置された可動ガイド３９の下縁部が可動ガイドばね６８により可動ガイド軸６６を中心として回転して固定ベース３７の裏側に取り付けられる。可動ガイド３９には、ブロック部６７が、ガイド逃孔５２を経由して固定ベース３７の前側に突出された上部から下方に延長された後に前側に折り曲げられた形態に設けられる。
【００１１】
ガイド駆動機構４０は、固定ベース３７の前面に取り付けられた電磁ソレノイドが給電されると、電磁ソレノイドのプランジャが固定ベース３７の方向に移動し、このプランジャの移動によって駆動レバー７０の一端部が他端部の固定支点を中心として固定ベース３７の側に移動し、この駆動レバー７０が可動ガイドばね６８のばね力に抗して受止部６５を前側に押し、可動ガイド３９の下縁部が可動ガイド軸６６を中心として回転して固定ベース３７の方向に移動し、可動ガイド３９の下縁部がガイド溝４７の上縁部を形成するように固定ベース３７の裏面から裏側に突出した規制部６９に裏側から接触する。この規制部６９に接触した可動ガイド３９の下縁部は、規制部６９よりも下方に突出する。これによって、規制部６９よりも下方に突出した可動ガイド３９の下縁部の前面とガイド溝４７の裏面４７ａとの間の隙間が、メダル４８を右上方から左下方に誘導するガイド通路を構成する。
【００１２】
このように、可動ガイド３９の下縁部がガイド駆動機構４０の電磁ソレノイドへの給電によって可動ガイド軸６６を中心として回転して固定ベース３７の方向に移動した場合、ブロック部６７の後端部は、上記メダル４８の流れを規制しないように、ガイド溝４７の裏面４７ａからクロック逃孔５４を経由して固定ベース３７の前側に引っ込む。これによって、メダル４８がガイド溝４７を右上方から左下方に流れてメダル出口６３に到達する。そして、前記ガイド駆動機構４０の電磁ソレノイドへの給電が停止されると、可動ガイド３９の下縁部が可動ガイドばね６８により可動ガイド軸６６を中心として回転して固定ベース３７から裏側に離れる。このように、可動ガイド３９の下縁部が固定ベース３７から裏側に離れた場合、ブロック部６７の後端部は、固定ベース３７の前側からクロック逃孔５４を経由してガイド溝４７の裏面４７ａよりも前側に突出し、ガイド溝４７を右上方から左下方に流れるメダル４８の周面４８ｂに接触し、それ以上、メダル４８を左側に流れないように規制する。これによって、ブロック部６７で流れの規制されたメダル４８は、可動ガイド３９の下縁部の前面と固定ガイド４２の裏面との間の隙間から下方に落下する。
【００１３】
固定ガイド４２は、金属からなる板状であって、ガイド溝４７の下縁部に沿いガイド溝４７の裏面４７ａに接触して固定ベース３７に裏側から取り付けられる。これによって、固定ガイド４２の上縁部の上面には、ガイド溝４７を右上方から左下方に転がりながら流れるメダル４８の周面４８ｂが接触し、固定ガイド４２がメダル４８をメダル出口６３に誘導する。返却ガイド４３は、金属からなり、ガイド通路から下方に落下するメダル４８を図４の返却樋３５の上部開口に誘導するものであって、ガイド取付部５９に裏側から挿入されて取り付けられる。
【００１４】
図６を参照し、メダル選別機３３の動作について説明する。駆動レバー７０が可動ガイド３９を矢印Ｘ３で示す前側から後側に押し、可動ガイド３９の下縁部が実線で示すように可動ガイドばね６８のばね力に抗し可動ガイド軸６６を中心と固定ベース３７の方向に回転してガイド通路７１を形成している場合、実線で示す正常な直径のメダル４８は、操作ガイド３８とガイド溝４７と可動ガイド３９と固定ガイド４２と規制部６９によって囲まれたガイド通路７１を流れる。ガイド通路７１は、メダル４８の周面４８ｂが固定ガイド４２と接触する下部を支点とし、当該支点を通るメダル４８の直径方向の上部が固定ベース３７の前側から裏側に移動するように、メダル４８を傾かせる、垂線Ｌ１に対する傾斜角度θを有する。これによって、正常な直径より小さな点線で示す直径の偽造されたメダル４８の上部が可動ガイド３９から外れ、偽造されたメダル４８が矢印Ｘ４で示す裏側に傾いてガイド通路７１から下方に落下する。
【００１５】
前記駆動レバー７０による矢印Ｘ３で示す前側から後側に押すことが可動ガイド３９から解除されると、可動ガイド３９が可動ガイドばね６８のばね力によって実線で示す位置から仮想線で示す位置に移動する。これによって、実線で示す正常な直径のメダル４８の上部が可動ガイド３９から外れ、正常な直径のメダル４８が仮想線で示すように裏側に傾いてガイド通路７１から下方に落下する。また、人が図３の返却操作部１８を前側から後側に押すと、返却操作部１８の操作台７の内部における後端部が図５の固定ガイド４２の前面に設けられた図外のイジェクトリンクを押し、この押されたイジェクトリンクの一部が固定ガイド４２に前後方向への貫通孔として形成された図７のイジェクト逃孔７２を経由して固定ガイド４２の前側から後側に突出して操作ガイド３８を前側に押し出し、操作ガイド３８が図６の実線で示す位置から仮想線で示す位置に移動する。これによって、メダル選別機３３のおけるガイド通路７１にひっかかったメダル４８がガイド通路７１から図４の返却樋３５を経由して機械的に返却される。
【００１６】
図７を参照し、メダル検出機構３４の構造について説明する。メダル検出機構３４は、合成樹脂からなるセンサ容器７４に２対のメダル検出器７５；７６を備える。１対のメダル検出器７５は、メダル４８がガイド溝４７を流れる方向の上流側に配置されるものであるので、上流メダル検出器７５と称する。上流メダル検出器７５は、発光素子７７と受光素子７８とを備え、発光素子７７がセンサ容器７４の上部から固定ベース３７の方向に突出した突起部７９に設けられ、受光素子７８がセンサ容器７４の下部に設けられ、発光素子７７から発光された光が突起部７９の下面に形成された反射面８０で受光素子７８の方向に反射され、この反射光を受光素子７８が受光する構造である。もう１対のメダル検出器７６は、メダル４８がガイド溝４７を流れる方向の下流側に配置されるものであるので、下流メダル検出器７６と称する。下流メダル検出器７６は、発光素子８１と受光素子８２とを備え、発光素子８１が突起部７９に設けられ、受光素子８２がセンサ容器７４の下部に設けられ、発光素子８１から発光された光が反射面８０で受光素子８２の方向に反射され、この反射光を受光素子８２が受光する構造である。
【００１７】
突起部７９が固定ベース３７の方向に向けられ、センサ容器７４が固定ベース３７の前面に近づけられ、タッピングスクリューのような止ねじ８３がセンサ容器７４の前側からセンサ容器７４のねじ挿入孔８４を経由して固定ベース３７に締結されることによって、センサ容器７４が図８に示すように固定ベース３７の前面に取り付けられる。センサ容器７４が固定ベース３７に取り付けられると、突起部７９が図５に示すセンサ逃孔５３から操作ガイド３８よりも前側に突出し、受光素子７８；８２がセンサ逃孔５５に配置される。そして、上流メダル検出器７５における光が発光素子７７から受光素子７８に照射され、下流メダル検出器７６における光が発光素子８１から受光素子８２に照射されている状態において、メダル４８がガイド溝４７を右上方から左下方のメダル出口６３に向かって流れると、先ず、メダル４８の上部が上流メダル検出器７５における発光素子７７から受光素子７８への光を遮断し、上流メダル検出器７５がメダル４８を検出した電気的なメダル検出信号を出力する。次に、上流メダル検出器７５を通過したメダル４８の上部が下流メダル検出器７６における発光素子８１から受光素子８２への光を遮断し、下流メダル検出器７６がメダル４８を検出した電気的なメダル検出信号を出力する。
【００１８】
図９を参照し、少数の心無い遊技者がメダル投入部１５から不正操作具８６を操作する不正行為について説明する。不正操作具８６は、可撓性の有る帯状の湾曲した具基板８７の一端部に２個の発光素子８８；８９を備え、具基板８７の他端部に操作部９０を備え、操作部９０に電池および電気回路を内蔵し、操作部９０の外側に電池から電気回路を経由して２個の発光素子８８；８９を点灯・消灯するためのスイッチ操作部９１を備える。そして、遊技者が、２個の発光素子８８；８９を点灯させた状態で、具基板８７の一端部をメダル投入部１５の上部からメダル投入部１５に挿入し、１個の発光素子８８を下流メダル検出器７６における発光素子８１から受光素子８２への光路に挿入し、もう１個の発光素子８９を上流メダル検出器７５における発光素子７７から受光素子７８への光路に挿入する。その状態において、遊技者が、スイッチ操作部９１を、メダル４８が上流メダル検出器７５における発光素子７７から受光素子７８への光を遮断した後に下流メダル検出器７６における発光素子８１から受光素子８２への光を遮断するタイミングで操作し、２個の発光素子８８；８９に消灯・点灯を交互に繰り返させる。これによって、上流メダル検出器７５の受光素子７８と下流メダル検出器７６の受光素子７８とが２個の発光素子８８；８９からの光の受光と遮断を発光素子７７；８１からの光の受光と遮断と見なしメダル検出信号を出力する。このような不正行為は、図５のメダル４８を図９のメダル投入部１５から投入することなく、主に、スロット遊技の開始に先駆けて予め機構筐体１の内部にメダル４８を図４の制御装置２３に予納（クレジット）したように記憶させたように見せかけるための行為として行われる。
【００１９】
また、図４の制御装置２３では、メダル４８を予納できる最大予納可能数として「５０」が設定されている。そして、５１枚以上のメダル４８がメダル投入部１５に投入された場合、制御装置２３において上流メダル検出器７５と下流メダル検出器７６とから入力されたメダル検出信号の計数値が５０に到達した後、制御装置２３が図５のガイド駆動機構４０を駆動する。これによって、５１枚数目からのメダル４８は図４のメダル選別機３３から返却樋３５を経由して受皿９に戻される。
【特許文献１】特開２００２−２６３２５８号公報
【発明の開示】
【発明が解決しようとする課題】
【００２０】
発明が解決しようとする問題点は、メダル４８を使用しないで、不正操作具８６による最大予納可能数以上の予納を記憶させる不正行為が行われるという点である。
【課題を解決するための手段】
【００２１】
本発明に係るスロットマシンの投入メダル検出装置は、メダル投入部から投入されたメダルを選別するメダル選別機と、メダル選別機を通過したメダルを検出するメダル検出機構と、メダル検出機構からのメダル検出信号を計数しその計数値をメダルの予納枚数として記憶するとともに計数値が設定された最大予納可能数以上の場合にメダルを受皿に返却させるようにメダル選別機を制御する制御装置とを備えており、制御装置には計数値が設定された最大予納可能数以上の場合にスロットマシンの遊技を停止するとともに異常を表示する異常処理手段が設けられたことを最も主要な特徴とする。
【発明の効果】
【００２２】
本発明に係るスロットマシンの投入メダル検出装置は、制御装置に記憶された計数値が制御装置に設定された最大予納可能数を越えた場合、制御装置が異常処理を実行してスロットマシンの遊技を停止するので、遊技者がメダルをメダル投入部から投入することなく、不正操作具を使用して制御装置に記憶される投入メダル個数に相当する計数値を不正操作した場合、制御装置に設定された最大予納可能数以上の計数値を制御装置に記憶させる不正行為が防止できるという利点がある。
【発明を実施するための最良の形態】
【００２３】
図１および図２は、発明を実施するための最良の形態である。図１はスロットマシンの投入メダル検出装置のブロックを示す。図２は、投入メダル検出処理の流れを示す。図１において、制御装置２３は、ＣＰＵ９２がＲＯＭ９３に書き込まれたプログラムをＲＡＭ９４を一時記憶装置なるメモリとして使用して処理する１チップコンピュータのようなマイクロコンピュータからなる制御コンピュータ９５、制御コンピュータ９５に対する入力インターフェース９６や出力インターフェース９７を内部に備える。ＲＯＭ９３には、最大予納可能数９８および異常処理手段１０６が設定されている。異常処理手段１０６は、制御コンピュータ９５のＣＰＵ９２がＲＯＭ９３に書き込まれたプログラムを実行することによって、具現化される（図２のステップ２０９参照）。制御装置２３は、入力機器として、掛数操作部１２、精算操作部１３、最大掛数操作部１４、遊技開始操作部１６、図柄停止操作部１７、リセット操作部３２、メダル検出機構３４、電源装置２６を備え、出力機器として、状況表示部４、情報表示部６、図柄表示装置１０、メダル選別機３３を備える。
【００２４】
そして、遊技者が掛数操作部１２を操作すると、掛数操作部１２で動作される掛数スイッチ９９が電気的な掛数信号を制御装置２３に出力する。遊技者が精算操作部１３を操作すると、精算操作部１３で動作される精算スイッチ１００が電気的な精算信号を制御装置２３に出力する。遊技者が最大掛数操作部１４を操作すると、最大掛数操作部１４で動作される最大掛数スイッチ１０１が電気的な最大掛数信号を制御装置２３に出力する。遊技者が遊技開始操作部１６を操作すると、遊技開始操作部１６で動作される遊技開始スイッチ１０２が電気的な遊技開始信号を制御装置２３に出力する。遊技者が図柄停止操作部１７を操作すると、３個の図柄停止操作部１７の個々で動作される３個の図柄停止スイッチ１０３が電気的な図柄停止信号を制御装置２３に個別に出力する。遊技店の店員がリセット操作部３２を操作すると、リセット操作部３２で動作されるリセットスイッチ１０４が電気的なリセット信号を制御装置２３に出力する。上流メダル検出器７５や下流メダル検出器７６がメダルを検出するごとに、メダル検出信号を制御装置２３に個別に出力する。このように、制御装置２３に多数の信号が入力されることから、制御装置２３は、各々の信号が入力される制御コンピュータ９５における入力ポートの位置の違いを、制御コンピュータ９５の処理の１サイクルごとによるポーリングによって検出して、どの信号が入力されたかを検出する。
【００２５】
図１および図２を参照し、予納に関する不正行為に対する処理を中心に説明する。遊技店の店員が電源装置２６の電源操作部３１を操作し、電源操作部３１で動作される電源スイッチ１０５がオンすると、電源装置２６が制御装置２３に電力を供給し、制御コンピュータ９５が電気的に起動してステップ２０１のイニシャライズ処理を実行する。その状態において、遊技者がメダル４８を操作台７のメダル投入部１５に投入すると、ステップ２０２がＮＯであることから、制御コンピュータ９５は、ステップ２０３のメダル入力処理を開始する。メダル入力処理が開始され、メダル投入部１５に投入されたメダル４８がメダル選別機３３からメダル検出機構３４の上流メダル検出器７５および下流メダル検出器７６を通過し、上流メダル検出器７５および下流メダル検出器７６からメダル検出信号が制御コンピュータ９５に入力されると、制御コンピュータ９５がメダル検出信号を投入メダル個数として計数するとともに計数値を投入メダル個数としてＲＡＭ９４に記憶する。そして、ステップ２０４がＹＥＳなり、ステップ２０５に進む。
【００２６】
ステップ２０５では、最大掛数信号が制御コンピュータ９５に入力されているか否かによって、制御コンピュータ９５が最大掛数中か否かを判断する。つまり、最大掛数信号が制御コンピュータ９５に入力されていない場合、ステップ２０５がＮＯなり、ステップ２０６に進む。ステップ２０６では、制御コンピュータ９５が掛数として＋１をＲＡＭ９４に記憶（掛数をインクリメント）した後にステップ２０２に戻る。最大掛数信号が制御コンピュータ９５に入力されている場合、ステップ２０５がＹＥＳとなり、ステップ２０７に進む。
【００２７】
ステップ２０７では、制御コンピュータ９５がＲＡＭ９４に記憶された計数値がＲＯＭ９３に設定された最大予納可能数９８を越えた値、つまり、５１以上か否かを判断する。ＲＡＭ９４に記憶された計数値がＲＯＭ９３に設定された最大予納可能数９８の数値「５１」以内であれば、ステップ２０７がＮＯとなり、ステップ２０８に進む。ステップ２０８では、制御コンピュータ９５がＲＡＭ９４に記憶された計数値を予納枚数として＋１をＲＡＭ９４に記憶（予納枚数をインクリメント）した後にステップ２０２に戻る。ＲＡＭ９４に記憶された計数値がＲＯＭ９３に設定された最大予納可能数９８を越えた数値「５１」以上であれば、ステップ２０７がＹＥＳとなり、ステップ２０９に進む。ステップ２０９では、制御コンピュータ９５が異常処理を実行する。異常処理により制御コンピュータ９５がスロットマシンの遊技を停止するとともに異常を表示する。
【００２８】
スロットマシンの遊技を停止する場合、例えば、制御コンピュータ９５が、遊技開始信号の入力の受付を拒否するか、遊技開始信号の入力の受付を許容するものの遊技開始信号の入力に伴うスロット遊技処理の開始を行わない。異常を表示する場合、例えば、制御コンピュータ９５が状況表示部４を駆動し、状況表示部４が異常をスロットマシンの前面に表示する。その状態において、遊技店の店員が図４に示すように前扉３を開放し、遊技店の店員が電源装置２６のリセット操作部３２を操作しなければ、リセット信号がマイクロコンピュータに入力されないので、ステップ２１０がＮＯであるので、制御コンピュータ９５がステップ２０９における異常処理を継続する。このように、ＲＡＭ９４に記憶された計数値がＲＯＭ９３に設定された最大予納可能数９８を越えた場合、制御コンピュータ９５が異常処理を実行してスロットマシンの遊技を停止するので、遊技者がメダル４８をメダル投入部１５から投入することなく、遊技者が図９に示すような不正操作具８６を使用してＲＡＭ９４に記憶される投入メダル個数に相当する計数値を不正操作した場合、最大予納可能数９８以上の計数値をＲＡＭ９４に記憶させる不正行為が防止できるという利点がある。遊技店の店員が電源装置２６のリセット操作部３２を操作すれば、リセット信号が制御コンピュータ９５に入力されるので、ステップ２１０がＹＥＳとなり、制御コンピュータ９５がステップ２０９における異常処理を終了してステップ２０２に戻る。
【００２９】
制御コンピュータ９５が予納枚数をＲＡＭ９４に記憶する動作について説明する。１回のスロット遊技に必要なメダル４８の枚数の後に投入されたメダル４８の枚数を、制御コンピュータ９５が予納枚数としてＲＡＭ９４に記憶する。よって、制御コンピュータ９５が予納枚数をＲＡＭ９４に記憶するのは、遊技者が最大掛数操作部１４を操作した場合と、遊技者が最大掛数操作部１４を操作していない場合とで異なる。例えば、遊技者が最大掛数操作部１４を操作した場合は、１回のスロット遊技に必要なメダル４８の枚数が３枚であるとし、遊技者が最大掛数操作部１４を操作していない場合は、１回のスロット遊技に必要なメダル４８の枚数が１枚であるとする。そして、遊技者が最大掛数操作部１４を操作した状況下の場合、制御コンピュータ９５は、メダル検出信号による計数値が「３」までは、予納枚数としてＲＡＭ９４に記憶しないで、メダル検出信号による計数値「４」以上を予納枚数としてＲＡＭ９４に記憶する。よって、最大掛数操作部１４が操作された状況下の場合、最大で５３枚のメダル４８が図３の機構筐体１の内部に取り込まれる。遊技者が最大掛数操作部１４を操作していない状況下の場合、制御コンピュータ９５は、メダル検出信号による計数値が「１」までは、予納枚数としてＲＡＭ９４に記憶しないで、ダル検出信号による計数値「２」以上を予納枚数としてＲＡＭ９４に記憶する。よって、最大掛数操作部１４が操作されていない状況下の場合、最大で５１枚のメダル４８が図３の機構筐体１の内部に取り込まれる。
【００３０】
１回のスロット遊技に必要なメダル４８の枚数のメダル４８が機構筐体１の内部に取り込まれ、ステップ２０９の異常処理が開始されていない状態において、遊技者が遊技開始操作部１６を操作したことから、遊技開始信号が制御コンピュータ９５に入力されると、ステップ２０２がＹＥＳとなり、ステップ２１１に進む。ステップ２１１では、制御コンピュータ９５が公知のスロット遊技処理を実行する。
【図面の簡単な説明】
【００３１】
【図１】スロットマシンの投入メダル検出装置を示すブロック図（最良の形態）。
【図２】投入メダル検出処理のフローチャート（最良の形態）。
【図３】前扉の閉じられたスロットマシンを示す斜視図（従来例）。
【図４】前扉の開けられたスロットマシンを示す斜視図（従来例）。
【図５】メダル選別機を示す斜視図（従来例）。
【図６】メダル選別機のメダル通路を示す断面図（従来例）。
【図７】固定ベースとメダル検出機構とを示す分解斜視図（従来例）。
【図８】メダル検出機構の取り付けられた固定ベースを示す斜視図（従来例）。
【図９】不正行為を示す模式図（従来例）。
【符号の説明】
【００３２】
９      受皿
１５    メダル投入部
２３    制御装置
３３    メダル選別機
３４    メダル検出機構
４８    メダル
９８    最大予納可能数
１０６  異常処理手段
【図１】
2006181235.tif 000003
【図２】
2006181235.tif 000004
【図３】
2006181235.tif 000005
【図４】
2006181235.tif 000006
【図５】
2006181235.tif 000007
【図６】
2006181235.tif 000008
【図７】
2006181235.tif 000009
【図８】
2006181235.tif 000010
【図９】
2006181235.tif 000011